(57)【要約】  照明装置は、光源を駆動するためのドライバ回路、及び電子機器コネクタ１０６を含むドライバ電子機器モジュール１０４を備えるハウジング１０２を有する。前記照明装置は、前記ハウジング内に配設され、基板コネクタ１１０を含む回路基板１０８を更に有する。その上、前記照明装置は、前記回路基板上に配設され、前記基板コネクタと接続している少なくとも1つの光源１０９を有し、前記電子機器コネクタ及び前記基板コネクタは、前記回路基板の平坦な延在部に対して横向きに延在する。前記基板コネクタ及び前記電子機器コネクタは、それらがオーバーラップ領域を持つように、位置合わせされ、前記基板コネクタ及び前記電子機器コネクタは、少なくとも、ガルバニック接続を供給する接触線があるように、互いに付勢され、前記接触線に沿って、熱によって誘導される電気的な相互接続が供給される。このような接続は、ワイヤ接続に比べて、組み立てるのに、時間効率が良く、且つコスト効率が高い。
2017512371.tif 000002
【特許請求の範囲】
【請求項１】
ハウジングと、
前記ハウジング内に配設される回路基板であって、第１面上の導電路、及び前記導電路への電気的なアクセスを供給するよう構成される基板コネクタを含む回路基板と、
前記回路基板上に配設され、前記導電路と接続している少なくとも1つの光源と、
前記ハウジング内に配設されるドライバ電子機器モジュールであって、前記光源を駆動するためのドライバ回路、及び前記ドライバ回路への電気的なアクセスを供給するよう構成される電子機器コネクタを含むドライバ電子機器モジュールとを有する照明装置であって、
前記電子機器コネクタ及び前記基板コネクタが、各々、前記回路基板の平坦な延在部に対して横向きの方向Dに延在する平らな接続部を持ち、
前記基板コネクタの前記接続部及び前記電子機器コネクタの前記接続部が、それらがオーバーラップ領域を持つように、位置合わせされ、
前記基板コネクタの前記接続部及び前記電子機器コネクタの前記接続部が、少なくとも、ガルバニック接続を供給する接触線があるように、互いに付勢され、
前記接触線に沿って、熱によって誘導される電気的な相互接続が供給される照明装置。
【請求項２】
前記基板コネクタが、前記回路基板に対して固定され、前記接続部に、弾性部によって弾性的に接続される取り付け部を更に有する請求項１に記載の照明装置。
【請求項３】
前記電子機器コネクタが、前記ドライバ電子機器モジュールに対して固定され、前記接続部に、弾性部によって弾性的に接続される取り付け部を更に有する請求項１又は２に記載の照明装置。
【請求項４】
前記基板コネクタが、一片の同じ材料で形成される請求項１乃至３のいずれか一項に記載の照明装置。
【請求項５】
前記電子機器コネクタが、一片の同じ材料で形成される請求項１乃至４のいずれか一項に記載の照明装置。
【請求項６】
前記基板コネクタが、前記回路基板の外縁部に配設される請求項１乃至５のいずれか一項に記載の照明装置。
【請求項７】
前記回路基板が、
第２面上の第２導電路と、
前記第２導電路への電気的なアクセスを供給するよう構成される第２基板コネクタであって、前記方向Dに延在する平らな接続部を持つ第２基板コネクタとを更に有し、
前記第１導電路及び前記第２導電路が、前記電子機器コネクタを介して電気的に接続されるように、前記第２基板コネクタの前記接続部も、前記電子機器コネクタと電気的な接触をしている請求項１乃至６のいずれか一項に記載の照明装置。
【請求項８】
前記基板コネクタが、位置指示特徴部を具備する請求項１乃至７のいずれか一項に記載の照明装置。
【請求項９】
前記電子機器コネクタが、位置指示特徴部を具備する請求項１乃至８のいずれか一項に記載の照明装置。
【請求項１０】
照明装置を組み立てるための方法であって、
ハウジング、及び前記ハウジング内に配設されるドライバ電子機器モジュールを供給するステップであって、前記ドライバ電子機器モジュールが、ドライバ回路、及び前記ドライバ回路への電気的なアクセスを供給するよう構成される電子機器コネクタを含み、前記電子機器コネクタが、方向Hに延在する平らな接続部を持つステップと、
回路基板を供給するステップであって、前記回路基板が、第１面上の導電路、及び前記回路基板上に配設され、前記導電路と接続している少なくとも1つの光源、及び前記導電路への電気的なアクセスを供給するよう構成される基板コネクタを含み、前記基板コネクタが、前記回路基板の平坦な延在部に対して横向きの方向Dに延在する平らな接続部を持つステップと、
前記基板コネクタの前記接続部及び前記電子機器コネクタの前記接続部が、方向Dが方向Hと同軸方向になるように位置合わせされ、平行であるように、前記回路基板及び前記ハウジングを位置合わせするステップと、
前記方向D及び方向Hによって規定される軸に沿って、前記回路基板の移動であって、前記基板コネクタの前記接続部及び前記電子機器コネクタの前記接続部が、前記移動中、互いに摺動可能に付勢されるような移動をすることによって、前記ハウジングに前記回路基板を組み付けるステップと、
熱によって誘導される相互接続によって前記基板コネクタを前記電子機器コネクタに接合するステップとを有する方法。
【請求項１１】
前記方向Hが、前記ドライバ電子機器モジュールの平坦な延在部に対して横向きである請求項１０に記載の組み立て方法。
【請求項１２】
前記方向Hが、前記ドライバ電子機器モジュールの平坦な延在部と平行である請求項１０に記載の組み立て方法。
【発明の詳細な説明】
【技術分野】
【０００１】
本発明は、広くは、電子装置に関し、より詳細には、電子装置における基板対基板接続に関する。
【背景技術】
【０００２】
電子装置の構成及び設計において、電子部品を機能上のグループに割り当てることは、多くの場合、有利である。機能割り当ては、回路基板設計において、モジュール式回路パターンを同様の機能のために再利用することによって設計のスピードを上げるために用いられ得るモジュール式設計を可能にする１つの方法であり得る。モジュール式回路は、多くの場合、同じ回路基板を共用するよう割り当てられるが、効率の理由又は設計制約の理由のために、異なる基板には異なる機能回路を割り当てることが好ましい場合がある。これは、例えば、幾つかの異なる電子製品において機能を利用する基板のモジュラー生産を可能にする一方で、多数の基板を備える製品の組立ては、単一基板の電子装置の組立てと比べて、一般に、より遅く、より多くのステップを必要とする。
【発明の概要】
【発明が解決しようとする課題】
【０００３】
本発明の目的は、製造するのに、よりエネルギ効率が高く、且つよりコスト効率が高い、複数の回路基板を備える電子装置を可能にすることである。
【課題を解決するための手段】
【０００４】
本発明によれば、この及び他の目的は、ハウジングと、前記ハウジング内に配設されるドライバ電子機器モジュールであって、ドライバ回路、及び前記ドライバ回路への電気的なアクセスを供給するよう構成される電子機器コネクタを含むドライバ電子機器モジュールとを有する照明装置によって、達成される。前記電子装置は、前記ハウジング内に配設される回路基板であって、第１面上の導電路、及び前記導電路への電気的なアクセスを供給するよう構成される基板コネクタを含む回路基板を更に有する。その上、前記電子装置は、前記回路基板上に配設され、前記導電路と接続している少なくとも1つの光源を有し、前記電子機器コネクタ及び前記基板コネクタは、各々、前記回路基板の平坦な延在部に対して横向きの方向(D)に延在する平らな接続部を持つ。前記基板コネクタの前記接続部及び前記電子機器コネクタの前記接続部は、それらがオーバーラップ領域を持つように、位置合わせされ、前記基板コネクタの前記接続部及び前記電子機器コネクタの前記接続部は、少なくとも、ガルバニック接続を供給する接触線があるように、互いに付勢され、前記接触線に沿って、熱によって誘導される電気的な相互接続が供給される。
【０００５】
本発明による電子装置は、例えば、はんだ付けを必要とし、自動化するのがより複雑である、ワイヤによる基板対基板接続と比べて、組み立てるのがより迅速である２つの回路基板間の相互接続を可能にする。更に、本発明による相互接続は、通常、ロック機構及び／又は圧入ロック機構を持つ従来の機械的な基板対基板コネクタと比べて、より少ない力しか加えられる必要がない。本発明による各基板は、好ましくは、全てのコネクタと共に予め製造されていてもよく、前記熱によって誘導される相互接続は、機械的な接続と電気的な接続との両方を供給する単一ステップの相互接続である。
【０００６】
本発明の文脈の中では、機能適合電子部品は、少なくとも１つの機能であって、前記回路基板が前記少なくとも１つの機能用に設計された少なくとも１つの機能を実施するのに適している構成要素である。例えば、これは、マイクロプロセッサ、電気モータ制御のためのパルス幅変調器、又は発光ダイオード（ＬＥＤ）などの光源であり得る。同様に、電子機器モジュールは、１つの機能又は幾つかの機能を供給する電子部品を含む構成要素と解釈されることができ、これは、例えば、前記電子機器モジュールが接続される前記回路基板に信号を渡す前の信号処理のための電子部品を含む別個のプリント回路基板であってもよい。電子機器モジュールは、電源出力から、電圧レベル及び電流であって、前記機能適合電子部品が前記電圧レベル及び電流のために構成されている電圧レベル及び電流に変換されている電力を、前記回路基板に供給するドライバ電子機器モジュールでもさしつかえないだろう。類似して、前記電子回路は、所定の電源を供給するのに適したドライバ回路であってもよく、電子機器コネクタは、それらが配設される場所を意味するようドライバコネクタと呼ばれ得る。
【０００７】
或る例示的な実施例によれば、前記電子装置は照明装置であり、前記回路基板は、前記回路基板上に配設され、前記導電路と接続している少なくとも1つの光源を有する。前記設計は、前記回路基板が、好ましくは、最適な配光及び熱放散のために構成されており、前記電子機器モジュールが、ドライバ電子機器を含むドライバ電子機器モジュールであり、少なくとも、前記配光路の外に配設される照明装置にとりわけ有利である。本発明のこの実施例による設計は、前記回路基板が、例えば発光ダイオードを備える従来の電球状光源と比べて前記ハウジングとより密接に接触して配設される場合に、短い熱経路を可能にし得る。
【０００８】
本発明は、有利なことには、従来の電球形状と比べて平らであり得るレトロフィットランプにおいて、有用である。近年、ＬＥＤを備える光源は、従来の電球に代わるものとして、ますます一般的になっている。
【０００９】
従来のＬＥＤレトロフィットランプは、従来の電球の典型的な外形を持つ。このＬＥＤランプ設計は、機能の水平分割によって特徴づけられ、一般に、インターコネクタとしてワイヤを備える。一方の半体、前記ソケットから遠位の半体は、前記ＬＥＤが、一般に、前記ランプの主軸に対して横方向に向けられている回路基板に中央配置される配光チャンバを供給する。前記ソケットに近い半体の構成要素は、熱性能要件を満たすようヒートシンクとして用いられる。この製品のビルドアップは、含まれる製品の多くのパーツであって、この熱拡散機能を可能にする専用金属パーツを含む多くのパーツによる、熱が生成されるＬＥＤから、熱が移され得る場所への長い熱経路を記述する。
【００１０】
前記ハウジングが、前記回路基板の近くに配設される、又はそれどころか、前記回路基板に接続している、本発明による照明装置は、前記ハウジングが前記回路基板から熱を直接伝えることを可能にする。その上、本発明によるドライバコネクタ及び基板コネクタを備えるこのような照明装置は、典型的な電球設計及びワイヤ・インターコネクタを備える照明装置と比べて、組み立てるのがより迅速であるだろう。
【００１１】
或る例示的な実施例においては、前記基板コネクタは、前記回路基板に対して固定され、前記接続部に、弾性部によって弾性的に接続される取り付け部を更に有する。前記取り付け部と前記接続部とを接続する弾性部を前記基板コネクタに設けることによって、機械的応力及び熱応力に対する耐性がもたらされる。これらの耐性は、組立て中の損傷リスクの低減、及び前記相互接続が実施された後の構成要素の推定耐用寿命の改善を可能にする。その上、前記弾性部は、有利には、少なくとも１つの所定の方向における耐性の改善を供給するよう形成され得る。
【００１２】
同様に、或る例示的な実施例においては、前記電子機器コネクタは、前記ドライバ電子機器モジュールに対して固定され、前記接続部に、弾性部によって弾性的に接続される取り付け部を更に有する。類似して、前記取り付け部と前記接続部とを接続する弾性部を前記電子機器コネクタに設けることの特徴及び利点は、前記基板コネクタの場合のものと同様であり得る。
【００１３】
前記基板コネクタは、有利には、一片の同じ材料で形成され得る。同様に又は無関係に、前記電子機器コネクタは、有利には、一片の同じ材料で形成され得る。これは、複数の構成要素を備えるコネクタと比べて製造するのがより安価である基板コネクタ及び／又は電子機器コネクタを可能にする。しかしながら、これは、各コネクタが、例えば、幾つかの例示的な実施例において、付加的に、コーティング又はラッカー塗装され得ることを除外しない。
【００１４】
或る実施例によれば、前記基板コネクタは、前記回路基板の外縁部に配設される。この構成は、組立てプロセス中の位置合わせ及び支持を容易にする。
【００１５】
更に、或る実施例によれば、前記回路基板は、第２面上の第２導電路と、前記第２導電路への電気的なアクセスを供給するよう構成される第２基板コネクタとを更に有する。前記第２基板コネクタは、有利には、前記方向(D)に延在する平らな接続部を持ち、前記第１導電路及び前記第２導電路が、前記電子機器コネクタを介して電気的に接続されるように、前記第２基板コネクタの前記接続部も、前記電子機器コネクタと電気的な接触をしている。
【００１６】
これは、回路基板の反対側の平坦な面にはんだ付けされるワイヤ又はめっきされた穴の必要なしに、回路基板の2つの面の間の接続を可能にする。このようなめっきされた穴及び／又はワイヤは、本発明のこの例示的な実施例と比べて、よりコストがかかる。
【００１７】
前記基板コネクタは、有利には、位置指示特徴部を具備し得る。有利には、同様に、前記電子機器コネクタも、又は無関係に、前記電子機器コネクタは、位置指示特徴部を具備し得る。本発明の文脈において、位置指示特徴部は、前記コネクタの位置を決定するためのセンサシステムによって検出可能である構造的及び／又は光学的特徴部と理解され得る。このようなセンサシステムは、光学系、又は所定の位置に配置され、構造的特徴部との接触によってトリガされる、より単純なトリガスイッチであり得る。
【００１８】
本発明の第２の態様によれば、前記目的及び他の目的は、照明装置を組み立てるための方法であって、ハウジング、及び前記ハウジング内に配設されるドライバ電子機器モジュールを供給するステップを有する方法によって、達成される。前記ドライバ電子機器モジュールは、好ましくは、ドライバ回路、及び前記ドライバ回路への電気的なアクセスを供給するよう構成される電子機器コネクタを含み、前記電子機器コネクタは、方向(H)に延在する平らな接続部を持つ。前記方法は、回路基板を供給するステップであって、前記回路基板が、第１面上の導電路、及び前記回路基板上に配設され、前記導電路と接続している少なくとも1つの光源、及び前記導電路への電気的なアクセスを供給するよう構成される基板コネクタを含み、前記基板コネクタが、前記回路基板の平坦な延在部に対して横向きの方向(D)に延在する平らな接続部を持つステップを更に有する。前記方法は、前記基板コネクタの前記接続部及び前記電子機器コネクタの前記接続部が、方向(D)が方向(H)と同軸方向になるように位置合わせされ、平行であるように、前記回路基板及び前記ハウジングを位置合わせするステップを更に有する。前記方法は、前記方向(D)及び方向(H)によって規定される軸に沿って、前記回路基板の移動であって、前記基板コネクタの前記接続部及び前記電子機器コネクタの前記接続部が、前記移動中、互いに摺動可能に付勢されるような移動をすることによって、前記ハウジングに前記回路基板を組み付けるステップを更に有する。前記方法は、熱によって誘導される相互接続によって前記基板コネクタを前記電子機器コネクタに接合するステップを更に有する。
【００１９】
この方法は、前記位置合わせするステップにおいて用いられ得るインターコネクタを供給することによって、迅速な組立てプロセスを可能にする。方向(D)及び方向(H)に延在する前記接続部は、例えば、前記基板の位置を決定するために平坦な基板上の特徴部を検出するために用いられ得る光学系と比べて第３次元における位置合わせを可能にする。前記基板コネクタ及び／又は前記電子機器コネクタは、有利には、前記ドライバ電子機器モジュールに対する前記回路基板の位置の決定を改善するために用いられ得る。
【００２０】
この方法の他の利点は、前記回路基板を、同軸方向(D)及び(H)に沿って前記ドライバ電子機器モジュールに対して移動させることによって、供給され、前記基板コネクタ及び電子機器コネクタは、前記組立て中に、互いに付勢され、支持及び更なる位置合わせの両方を供給する。有利なことには、この移動のために必要とされる力は全くない又は非常に少ない。なぜなら、このステップは、好ましくは、前記移動が地面に対して垂直であるように構成されることができ、重力が、前記移動及び静止支持を手助けし得るからである。
【００２１】
例えばワイヤ相互接続と比べての更に他の利点は、前記コネクタの一方を前記コネクタの他方に付勢する且つ／又は支持する必要なしに、例えば、溶接接合又ははんだ接合だけで実施され得る前記インターコネクタを接合するステップである。更に、前記コネクタは、前記方向(D)における或る位置からアクセス可能である相互接続線において、有利に、且つ十分に、接合され得る。
【００２２】
本発明の或る例示的な実施例によれば、前記方向(H)は、前記ドライバ電子機器モジュールの平坦な延在部に対して横向きである。これは、互いに平行である回路基板及び電子機器モジュールの組立て及び相互接続を可能にする。
【００２３】
本発明の別の例示的な実施例によれば、前記方向(H)は、前記ドライバ電子機器モジュールの平坦な延在部と平行である。これは、互いに横向きである回路基板及び電子機器モジュールの組立て及び相互接続を可能にする。
【００２４】
本発明の文脈においては、前記電子機器コネクタ及び／又は前記基板コネクタは、前記回路基板の前記平坦な延在部に９０°横向きである必要はないことは、理解されるだろう。傾けることは、一方のコネクタが、他方のコネクタに沿って所定の組立て位置へより容易に摺動することを可能にすることによって、前記組立てのために有利であり得る。
【００２５】
本発明の態様であって、その特有の特徴及び利点を含む態様は、以下の詳細な説明及び添付図面から容易に理解されるだろう。
【図面の簡単な説明】
【００２６】
【図１】本発明の好ましい実施例による電子装置の分解図を図示する。
【図２】本発明の例示的な実施例による基板対基板接続のクローズアップ斜視図を図示する。
【図３】本発明によるコネクタの様々な他の実施例を図示する。
【図４】本発明によるコネクタの様々な他の実施例を図示する。
【図５】本発明によるコネクタの様々な他の実施例を図示する。
【図６】本発明によるコネクタの様々な他の実施例を図示する。
【図７】本発明によるコネクタの様々な他の実施例を図示する。
【図８】本発明によるコネクタの様々な他の実施例を図示する。
【発明を実施するための形態】
【００２７】
ここで、本発明の好ましい実施例が示されている添付図面を参照して、本発明を、以下に、より詳細に説明する。しかしながら、本発明は、多くの異なる形態で実施されてもよく、本願明細書に記載されている実施例に限定されるものとして解釈されるべきではない。もっと正確に言えば、これらの実施例は、完全及び完璧を期すために示されており、当業者に本発明の範囲を十分に伝える。例えば、本発明は、或る実施例によれば、一般的な電球の置き換えのためのレトロフィット照明などの照明装置における実施によく適している。しかしながら、本発明は、2つの基板を有するあらゆる電子装置における使用、及びこれらの基板間の相互接続に等しく適しているだろう。
【００２８】
全ての図１乃至８で、同様の参照符号は、全体を通して、同様の素子を指す。
【００２９】
図１は、本発明の好ましい実施例による電子装置の分解図を図示している。より具体的には、この好ましい実施例による電子装置は、照明装置１００である。照明装置１００は、ハウジング１０２を有し、ハウジング１０２は、図１においては、照明装置１００の主軸に沿って平面分割がなされている１／２だけが図示されている。図１においては、この平面分割が、水平面を形成している。図示されていない、ハウジング１０２のもう１つの半分は、好ましくは、図１に示されている半分と基本的に対称を成す。ハウジング１０２は、照明装置１００の、電球ソケットと嵌合するよう適応される部分の一部を形成する水平な半円筒形中空セクション１０３を一方の端部に持つ。中空円筒形セクション１０３によって規定される空洞は、ドライバ電子機器モジュール１０４を受けるよう適応される。ドライバ電子機器モジュール１０４は、電球ソケットを通して供給される電流を変換することによって光源を駆動するための電子部品及び回路を有する回路基板を含む。このような部品及び回路は、例えば、発光ダイオードと比べて、一般的に、著しく大きいだろう。ドライバ電子機器モジュール１０４の基板の平面延在部は、平面であって、ハウジングが前記平面に沿って分割される平面と平行であり、大きな部品及び回路は、ドライバ電子機器モジュール１０４の両側に形成される空洞に収まり得る。ドライバモジュール１０４は、モジュール１０４の、照明装置１００の中心に面する端部において、ドライバ電子機器モジュール１０４の基板上に配設される複数の電子機器コネクタ１０６を有する。図１に図示されている各ドライバコネクタ１０６は、基本的に、照明装置１００の中心を向いている反転Ｌ字形の形状で形成される。Ｌ形状の下部は、ドライバモジュールの基板にはんだ付けされる表面であるのに対して、Ｌ字形の形状の上部は、ドライバ電子機器モジュール１０４の基板に対して横向きの方向(H)に延在し、接続部１０６ａを形成する。図１を参照すると、ドライバコネクタ１０６は、水平線を形成する分割面を備える側から見た場合に、ドライバ電子機器モジュール１０４が照明装置１００の中心の右側にある場合に、反転Ｌ字形の形状を持つ。各ドライバコネクタ１０６の、方向（Ｈ）への延在部は、等距離のものであり、図１に図示されているドライバコネクタは、弾性特性を持つ導電材料、例えば、ニッケルの１つの連続的なストリップで形成されるので、接続部１０６ａは、照明装置の中心から眺めてみると、平坦である。Ｌ字形の形状の湾曲部は、Ｌ字形の形状コネクタの下部、取り付け部１０６ｃに、接続部１０６ａを接続する弾性部１０６ｂを供給する。弾性部１０６ｂは、例えば、ドライバ電子機器モジュールと取り付け部１０６ｃとの間のはんだ接続に影響を及ぼす、接続部１０６ａ上の力に起因する応力が、少なくとも部分的に緩和されるように、弾力的なようにして曲がることによって、幾らかの応力を吸収し得るように、形成される。
【００３０】
図１におけるハウジング１０２の他方の遠位端部１０７は、水平面に対して平行なラケットヘッドの形状に形成され、好ましくは、それは、配光レンズ形状及び伝熱部を有する。伝熱部は、回路基板１０８を受け、回路基板１０８と密接な熱的接触をするよう適応される。回路基板１０８は、平らであり、且つ水平面に対して平行であり、ハウジング１０２の遠位端部１０７と同様に、回路基板は、ラケットヘッドのような形状をしている。照明装置１００が組み立てられる場合、回路基板１０８は、回路基板１０８の縁端部の一部が、方向(H)において小さなオフセット距離をおいてドライバ電子機器モジュール１０４とわずかに重なり合うだろうように、配設されるだろう。複数の光源１０９、発光ダイオード（ＬＥＤ）は、それらが、組み立てられるときにハウジング１０２内で配光レンズ形状に合わせて配設されるように、回路基板１０８の両方の平坦な面に配設される（図１においては一方の側が示されていない）。回路基板は、ドライバ電子機器モジュール１０４上に見出されるドライバコネクタ１０６と同様の、複数の基板コネクタ１１０を具備する。この例示的な実施例による基板コネクタもまた、弾性特性を持つ導電材料の１つの連続的なストリップで形成され、各々が、湾曲部の形態の弾性部１１０ｂを介して取り付け部１１０ｃに接続される接続部１１０ａを持つ。更に、基板コネクタ１１０は、回路基板の、ドライバ電子機器モジュール１０４に面している外縁部に配設され、それらの接続部１１０ａは、方向(H)と平行な方向(D)に延在し、基板コネクタ１１０は、取り付け部１１０ｃと共に、回路基板の縁端部のわずかに外側に延在する反転Ｌ字形の形状を規定する。照明装置１００が組み立てられるときに、基板コネクタ１１０の接続部１１０ａと、ドライバコネクタの接続部１０６ａとが、対に関しては、オーバーラップ領域を持ち、互いに弾性的に付勢されるだろうように、基板コネクタ１１０は、個々に、ドラバコネクタ１０６に対して位置合わせされる。更に、図１に図示されている例示的な実施例における回路基板１０８は、取り付け部（図示せず）が、回路基板の、他の基板コネクタとは反対側の平坦な面に配設される１つの基板コネクタを具備する。この基板コネクタの接続部は、他の基板コネクタと同じ長さを持ち、方向(D)において基本的に平行な延在部を持つが、回路基板の反対側の平坦な面への取り付けが、この基板コネクタの接続部の延在部が、方向(D)において、より短いことをもたらす。しかしながら、ドライバコネクタ１０６の接続部１０６ａは、照明装置１００が組み立てられるときには、ドライバコネクタ１０６の端部が、図１において見える平坦な面に配設される基板コネクタ１１０の端部と同じ高さであるように、方向（H）において十分な長さで延在する。反対側の面（図示せず）に配設される基板コネクタの端部は、それが対になっているドライバコネクタの接続部に、わずかにより低く、寄りかかる。
【００３１】
更に、回路基板１０８の両方の平坦な面は、各々、導電路を具備し、導電路（図示せず）は、例えば、導電性のトラック、パッド、又は回路基板を形成する非導電性基板上に積層された銅製シートからエッチングされた他のフィーチャ(feature)である。これらの導電路は、複数の光源１０９と基板コネクタ１１０を接続する。同様に、ドライバ電子機器モジュールは、ドライバコネクタをドライバ回路に接続する導電路（図示せず）、及び他の例においては、回路基板１０８の反対側の面に配設される２つの基板コネクタの間の相互接続が可能になるように２つのドライバコネクタを相互接続する導電路（図示せず）を具備する。
【００３２】
本発明の或る例示的な実施例による基板対基板相互接続のより詳細な斜視図を図示している図２に進む。それは、必ずしも、図１に図示されている照明装置のクローズアップではないが、特徴は、図２において同様である。しかしながら、これは分解図ではないので、基板コネクタ２１０が、どのように、ドライバコネクタ２０６に付勢され、対に関して、オーバーラップ領域を持つかが、図示されている。更に、回路基板の反対側の平坦な面に配設される１つの基板コネクタは、他の基板コネクタと比べてより低く、その対のドライバコネクタの接続部に寄りかかる、その接続部の端部を持つ。更に、各基板コネクタは、対に関して、はんだ付け又は溶接などの熱によって誘導される電気的な相互接続を用いて、基板コネクタの平らな接続部の端部に沿って、そのドライバコネクタに接合されている。
【００３３】
図３は、本発明の例示的な実施例による他の形態のコネクタを図示している。前記形態は、基板コネクタ又はドライバコネクタにおいて等しく用いられ得るが、参照し易いように、前記コネクタを、基板コネクタ３１０と呼ぶ。図１及び図２において図示されている基板コネクタと同様に、この他の形態の基板コネクタ３１０は、弾性特性を持つ導電材料の１つの連続的なストリップで形成され、湾曲部の形態の弾性部３１０ｂを介して取り付け部３１０ｃに接続される接続部３１０ａを持つ。しかしながら、接続部３１０ａが上方へ延在し、取り付け部３１０ｃが接続部の左側へ延在するように、側部から見た場合に、弾性部３１０ｂは、取り付け部３１０ｃの上方に、折り畳み部を更に有する。弾性部３１０ｂ及び取り付け部３１０ｃは、時計回りに９０度回転したＵ字形の形状を形成する。
【００３４】
図４は、本発明の例示的な実施例による別の他の形態のコネクタ４１０を図示している。図４に図示されている基板コネクタ４１０は、側部から見た場合に、図３に図示されている基板コネクタ３１０と同じ形状を持つ。しかしながら、弾性部４１０ｂから幾らかの材料が除去されている。この材料除去は、ストリップの幅が局所的に減らされる形態のものである。
【００３５】
図５は、本発明の例示的な実施例による別の他の形態のコネクタ５１０を図示している。図５に図示されている基板コネクタ５１０は、側部から見た場合に、図４に図示されている基板コネクタ４１０と同じ形状を持つ。しかしながら、弾性部５１０ｂは、ストリップの幅に沿って切欠きを持つ。
【００３６】
図６は、本発明の例示的な実施例による別の他の形態のコネクタ６１０を図示している。図６に図示されている基板コネクタ６１０は、側部から見た場合に、図３に図示されている基板コネクタ３１０と同様の形状を持つ。しかしながら、前記Ｕ字形の形状は、前記Ｕ字形の形状の湾曲部及び中間にわたって広くなっており、ほとんど円を形成し、故に、前記形状は、傾いたΩの形状に似ており、これは、次いで、上方へ延在する接続部６１０ａに続く。
【００３７】
図７及び８は、本発明の例示的な実施例による更に２つの他の形態のコネクタ７１０及び８１０を図示している。図７及び８に図示されているコネクタ７１０及び８１０は、大まかには、図１及び２に図示されている基板コネクタ３１０と同様に、Ｌ字形の形状を持つ。しかしながら、コネクタ７１０及び８１０は、接続部へ上方向(D)に延在する湾曲部において、方向(D)によって規定される軸のまわりに、各々、時計回り及び反時計回りに、１８０°ねじられる。
【００３８】
図３乃至８は、異なる例示的な実施例を図示しており、弾性部の形状は、力に対する耐性を与えるために、前記異なる例示的な実施例に従って、変更され得る。所定の方向における耐性を増大させるために、異なる湾曲部、形状、材料削減及びねじりが用いられ得る。例えば、或る実施例においては、ドライバコネクタの弾性部は、組立てプロセス中に或る一定の耐性を与えるために接続部に押し付ける約0.1Nの力を許容するよう、図３乃至５に図示されているようなＵ字形の形状の折り畳み部を具備し得る。所定の耐性のために設計するために用いられ得る他のパラメータは、ストリップの材料選択、全体的な幅及び／又は厚さを含む。
【００３９】
たとえ、本発明が、本発明の特定の実施例に関して説明されているとしても、当業者には、多くの異なる変形例、修正例などが明らかになるだろう。例えば、ドライバ電子機器モジュール及び回路基板が、場所を交換してもよく、又は２つのドライバ電子機器モジュール若しくは２つの回路基板があってもよい。他の例においては、ドライバ電子機器モジュール及び回路基板は、各基板が依然として同軸方向に延在する接続部を備えるコネクタを持つ状態で、互いに対して横向きに配設されてもよい。一方の基板のコネクタは、他方の基板の開口部を通って延在してもよく、ここで、開口部を備える基板のコネクタは、この開口部の内縁部に配設される。あらゆるコネクタが、合金を含んでもよく、又はコンダクタンス及び／若しくは弾性などのパラメータを変えるようコーティング若しくはラッカー塗装されてもよい。更に、２つの相互接続される電子機器コネクタを介する、回路基板の２つの反対側の面の相互接続は、基板の反対側の面に配設される２つの基板コネクタを同じ電子機器コネクタに接続することによって置き換えられてもよく、ここで、電子機器コネクタは、接続を容易にするよう、より幅の広いストリップを有してもよい。システムの一部が、様々な方法で、省略、交換又は構成されてもよく、装置は、依然として、本発明に従って実施される。
【００４０】
更に、当業者は、請求項記載の発明の実施において、図面、明細及び添付の請求項の研究から、開示されている実施例に対する変形を、理解し、達成することができる。請求項において、「有する」という用語は、他の要素又はステップを除外せず、単数形表記は、複数性を除外しない。単一の構成要素又は他のユニットが、請求項において列挙されている幾つかのアイテムの機能を果たしてもよい。特定の手段が、相互に異なる従属請求項において引用されているという単なる事実は、これらの手段の組み合わせが有利になるように使用されることができないと示すものではない。
【図１】
2017512371.tif 000003
【図２】
2017512371.tif 000004
【図３】
2017512371.tif 000005
【図４】
2017512371.tif 000006
【図５】
2017512371.tif 000007
【図６】
2017512371.tif 000008
【図７】
2017512371.tif 000009
【図８】
2017512371.tif 000010
【国際調査報告】
2017512371.tif 000011
2017512371.tif 000012
2017512371.tif 000013